(57)【要約】【課題】  二酸化炭素を長期にわたり安全に、かつ、継続的に発生させ、蚊を長期にわたり捕獲することができる蚊の誘引捕獲装置を提供する。【解決手段】  蚊を誘引する誘引部と、捕獲する捕獲部３とを備えた蚊の誘引捕獲装置Ａであって、上記誘引部には、少なくとも固体酸４ａ、固体アルカリ４ｂ及び潮解性物質４ｃを併用することにより、二酸化炭素を長期にわたり継続的に発生させる二酸化炭素発生部４を有することを特徴とする蚊の誘引捕獲装置。  潮解性物質４ｃが塩化カルシウム、塩化マグネシウム、炭酸カリウムから選ばれる少なくとも１種であることが好ましい。【選択図】図１
2006067966.tif 000002
【特許請求の範囲】
【請求項１】
蚊を誘引する誘引部と、捕獲する捕獲部とを備えた蚊の誘引捕獲装置であって、上記誘引部には、少なくとも固体酸、固体アルカリ及び潮解性物質による二酸化炭素発生部を有することを特徴とする蚊の誘引捕獲装置。
【請求項２】
潮解性物質が塩化カルシウム、塩化マグネシウム、炭酸カリウムから選ばれる少なくとも１種である請求項１記載の蚊の誘引捕獲装置。
【発明の詳細な説明】
【技術分野】
【０００１】
本発明は、蚊を長期的に誘引し捕獲することができる蚊の誘引捕獲装置に関する。
【背景技術】
【０００２】
従来より、有害飛翔昆虫の代表である蚊を駆除するために、蚊取線香や電気蚊取り器、エアゾールスプレーなどが用いられている。これらは、殺虫成分を大気中に蒸散または噴霧することにより、蚊を殺滅させる手段である。
【０００３】
また、野外などでは、蚊を身体から忌避するために、腕や脚にディート等の忌避剤を塗ることがある。このような手段は、蚊に対して十分な殺滅または忌避効果が得られるが、殺虫剤や忌避剤を使用することで、空気中に拡散した殺虫成分等を吸い込む可能性があり、人体への安全性の面で必ずしも満足のいくものではなかった。
【０００４】
そこで、殺虫剤等を使用しない手段が検討されており、例えば、蚊の誘引手段と粘着手段とを備え、蚊を誘引して粘着捕獲する蚊取り器などが数多く知られている。
これらの中で、蚊が二酸化炭素に集まる習性を利用する蚊の誘引捕獲装置としては、例えば、二酸化炭素発生手段として、ドライアイスや高圧ボンベを用いることが知られているが、ドライアイスは高価で取扱が難しく、また、高圧二酸化炭素ボンベは取扱に注意を要し、且つ重量が大きいという難点が挙げられる。
【０００５】
これらの解決策としては、例えば、１）粉末状の石灰石を収容した袋をヒーターにて熱を加えることにより二酸化炭素を発生させる蚊取り機（例えば、特許文献１参照）、２）炭酸塩と酸による二酸化炭素発生手段を有する蚊捕獲器（例えば、特許文献２参照）、３）２種以上の誘引手段の１つとして、有機酸と炭酸塩とを反応させる炭酸ガス発生装置を用いる蚊の誘引捕獲装置（例えば、特許文献３参照）、４）水中に投下すると炭酸ガスを発生する常温で固体である固体酸と炭酸塩を主成分とした発泡性錠剤を用いた誘引捕集器具（例えば、特許文献４参照）などが知られている。
これらの方法を用いると、二酸化炭素発生装置の取扱が非常に簡便であり、軽量で済み、広い場所を要しないものである。これらの文献には、二酸化炭素を発生させる手段としては、酸とアルカリを分けて配置し、使用時に水を加えて混ざるように構成しても良いし、使用時に酸とアルカリと水を順に混ぜるようにしても良いことが記載されている。
【０００６】
しかしながら、上記特許文献１に記載されるヒーターなどの熱源を使用するものは、安全上避けることが好ましく、また、上記特許文献２〜４に記載される酸、アルカリ等の化学反応により二酸化炭素を発生するものは、二酸化炭素発生が瞬時に起こり、継続的に蚊を誘引することができない点に未だ課題があり、二酸化炭素発生の継続性と安全面にも安心できる蚊の誘引手段を有する蚊の誘引捕獲装置の出現が切望されているのが現状である。
【特許文献１】特開２０００−９５６２３号公報（特許請求の範囲、実施例等）
【特許文献２】特開２００３−６１５４１号公報（特許請求の範囲、実施例等）
【特許文献３】特開２０００−１８９０３０号公報（特許請求の範囲、実施例等）
【特許文献４】特開平６−４６号公報（特許請求の範囲、実施例等）
【発明の開示】
【発明が解決しようとする課題】
【０００７】
本発明は、上記従来技術の課題及び現状等に鑑み、これを解消しようとするものであり、蚊を長期的に誘引し捕獲することが可能となる安全な蚊の誘引捕獲装置を提供することを目的とする。
【課題を解決するための手段】
【０００８】
本発明者らは、上記従来の課題等を解決するために、鋭意検討した結果、二酸化炭素発生手段として、特定の成分を組み合わせて併用することにより、二酸化炭素を長期にわたり継続的に発生させる蚊の誘引手段を得ることに成功し、本発明を完成するに至ったのである。
【０００９】
すなわち、本発明は、次の（１）及び（２）に存する。
（１）  蚊を誘引する誘引部と、捕獲する捕獲部とを備えた蚊の誘引捕獲装置であって、上記誘引部には、少なくとも固体酸、固体アルカリ及び潮解性物質による二酸化炭素発生部を有することを特徴とする蚊の誘引捕獲装置。
（２）  潮解性物質が塩化カルシウム、塩化マグネシウム、炭酸カリウムから選ばれる少なくとも１種である上記（１）記載の蚊の誘引捕獲装置。
【発明の効果】
【００１０】
本発明によれば、二酸化炭素を長期にわたり安全に、かつ、継続的に発生させ、蚊を長期にわたり捕獲することができる蚊の誘引捕獲装置が提供される。
【発明を実施するための最良の形態】
【００１１】
以下に、本発明の実施形態を詳しく説明する。
本発明の蚊の誘引捕獲装置は、蚊を誘引する誘引部と、捕獲する捕獲部とを備えた蚊の誘引捕獲装置であって、上記誘引部には、少なくとも固体酸、固体アルカリ及び潮解性物質による二酸化炭素発生部を有することを特徴とするものである。
【００１２】
本発明において、捕獲装置の形状としては、上面または側面に開口部を有するものであれば、特に限定されず、例えば、円柱や角柱、椀状などの形状が挙げられる。また、材質は、特に限定されないが、経済性や加工性等からプラスチックが望ましい。用いられるプラスチックとしては、例えば、ポリエチレン、ポリプロピレン、塩化ビニル樹脂、アクリル樹脂等が挙げられる。
【００１３】
本発明の誘引部は、二酸化炭素を長期にわたり発生する二酸化炭素発生部となるものである。この誘引部となる二酸化炭素発生部は、該捕獲装置の内部に設置することが好ましい。捕獲装置の内部に設置することで、捕獲装置内に発生した二酸化炭素が滞留し、蚊をより効果的に誘引することが可能になる。
本発明において、二酸化炭素の発生には、少なくとも、固体酸、固体アルカリ及び潮解性物質を併用する。これらの固体酸、固体アルカリ、潮解性物質は、混合してもよいし、一部接触するように別々に設置しても良い。
このように設置することにより、潮解性物質に吸着した空気中の少量の水分を反応の開始剤とし、固体酸と固体アルカリが緩やかに中和反応を起こし、二酸化炭素を長期にわたり継続的に発生させることができるものとなる。
【００１４】
用いることができる固体酸としては、特に限定されるものではないが、例えば、アスコルビン酸、アジピン酸、安息香酸、クエン酸、グルタミン酸、コハク酸、シュウ酸、酒石酸、ソルビン酸、フマル酸、ホウ酸、マレイン酸、マロン酸、リンゴ酸などが挙げられ、これらの中から１種又は２種以上を用いることができるが、特に、コスト、使用性の点から、コハク酸、クエン酸が好ましい。
【００１５】
また、用いることができる固体アルカリとしては、特に限定されるものではないが、例としては、炭酸水素ナトリウム、炭酸ナトリウム、炭酸水素カリウム、炭酸カリウム、炭酸カルシウム、炭酸水素リチウム、炭酸リチウムなどが挙げられ、これらの中から１種又は２種以上を用いることができるが、特に、コスト、使用性の点から、炭酸水素ナトリウムが好ましい。
【００１６】
これらの固体酸と固体アルカリの混合比は、モル比で１：１０〜１０：１、好ましくは１：５〜５：１とすることが望ましい。この範囲（１：１０〜１０：１）を外れると、中和反応で消費されない固体酸または固体アルカリが生じ、経済的ではない場合がある。
【００１７】
用いることができる潮解性物質としては、潮解性を有するものであれば、特に限定されるものではないが、経済性、取り扱い性の点から、塩化カルシウム、塩化マグネシウム、炭酸カリウムから選ばれる１種または２種以上を用いることが好ましい。ここで、炭酸カリウムは、潮解性物質と固体アルカリとしての働きの両者を持ちうるものである。
また、潮解性物質の平均粒径（以下、単に「粒径」という）は、特に制限されるものではないが、１０μｍ以下の微粉の場合、表面積が大きくなるため、粗粒に比べて空気中の水分の吸着が早く進み、中和反応の進行が早く、本発明の意図に沿わない場合がある。従って、粒径１０μｍ超過、好ましくは、粒径２０〜２０００μｍとなるものが望ましい。
【００１８】
これら固体酸／固体アルカリと潮解性物質の混合比は、潮解性物質を使用するに当たり、その添加量としては、固体酸、固体アルカリの総量に対して、０．０１〜１００質量％（以下、単に「質量％」という）、好ましくは、０．１〜５０％、更に好ましくは、０．１〜２０％とすることが望ましい。
潮解性物質の量が０．０１％未満であると、中和反応が進まず、使用開始から蚊の誘因効果が発揮されるまでのタイムラグが大きく、不具合を生じる場合がある。一方、１００％を超えると、空気中の水分の吸着が一気に起こり、中和反応が速やかに進んでしまうため、本発明の意図に沿わない場合がある。
【００１９】
本発明の誘引捕獲装置における捕獲部としては、捕獲装置内に侵入した蚊を捕獲するため、上記捕獲容器の内面上に粘着剤層を設けたものが挙げられる。
蚊は、通常、垂直面に止まることが多いため、特に、捕獲容器内面の側面に粘着剤層を設けるのが好ましい。この目的に合致するものであれば、使用する粘着剤の種類は、特に限定されないが、例えば、ポリブテン、ポリイソブテンが挙げられる。
【００２０】
本発明の誘引捕獲装置における容器の開口部には、吸湿防止フィルムを設置することが好ましい。このフィルムを剥がすことにより、潮解性物質による空気中の水分の吸着が開始し、固体酸と固体アルカリの中和反応が起こり、蚊の誘引が開始される。材質は、蚊捕獲装置使用以前の空気中水分の吸湿を防ぐものであれば、特に限定されるものではない。
【００２１】
図１は、本発明の蚊の誘引捕獲装置の具体的実施形態の一例を示すものである。
本実施形態の蚊の誘引捕獲装置Ａは、図１に示すように上部に開口部２を有する捕獲装置となる円柱状のプラスチック容器１を用いた。容器は、底面直径が１０ｃｍ、高さ１５ｃｍのものを用いた。
容器１の上方部両側面に、捕獲部となる粘着剤層３を設けると共に、容器１の底部に二酸化炭素発生部４を設けた。この二酸化炭素発生部４は、潮解性物質４ｃを容器１に投入した後、その上部に固体酸４ａ・固体アルカリ４ｂを混合し、容器１に混合固体を底面より５ｃｍの高さになるまで投入したものから構成されている。
この蚊の誘引捕獲装置Ａにおいて、二酸化炭素発生部４では潮解性物質４ｃに吸着した空気中の少量の水分を反応の開始剤とし、固体酸４ａと固体アルカリ４ｂが緩やかに中和反応を起こし、二酸化炭素を長期にわたり継続的に発生させ、蚊を誘引せしめ、捕獲部となる粘着剤層３で蚊を捕獲できるものであり、この蚊の誘引及び捕獲は長期にわたり安全に捕獲することができるものとなる。
【００２２】
本発明の蚊の誘引捕獲装置は、上述の如く構成されるものであるが、蚊を誘引する誘引部には、少なくとも固体酸、固体アルカリ及び潮解性物質を併用することにより、二酸化炭素を長期にわたり継続的に発生させる二酸化炭素発生部を有するものであれば、その他の構成は特に限定されるものではなく、本発明の技術思想の範囲内で種々変更することができるものである。
例えば、本発明では、二酸化炭素以外の誘引手段を併用することも可能である。併用する誘引手段としては、例えば、乳酸、乳酸エステル、脂肪酸、酢酸レチノール、酢酸エステルなどが挙げられる。
また、捕獲部を蚊を誘引しやすい黒色や青色としてもよいものである。
【実施例】
【００２３】
次に、実施例及び比較例により本発明を更に詳細に説明するが、本発明は下記実施例等に限定されるものではない。
【００２４】
〔実施例１〜６及び比較例１〕
下記構成の蚊の捕獲装置を作製し、下記方法により、蚊の誘引捕獲試験を行い、下記評価基準で評価した。
（蚊の誘引捕獲装置の作製）
実施例及び比較例に用いた蚊の捕獲装置について説明する。図１に示すように、上部に開口部２を有する円柱状のアクリル樹脂製プラスチック容器１を用いた。容器は、底面直径が１０ｃｍ、高さ１５ｃｍのものを用いた。
容器１の上方部両側面に、粘着剤層３、本試験では、簡易的に粘着テープを貼付し、粘着剤層とした。
この容器１の底部に二酸化炭素発生部４を設けた。下記表１の実施例１〜６に示す潮解性物質（塩化カルシウム、塩化マグネシウム、炭酸カリウム）を容器１に加えた後、表１に示す配合割合で固体酸・固体アルカリを混合し、容器１に混合固体を底面より５ｃｍの高さになるまで加えた。比較例１においては、容器１に混合固体を加えた後、水を加えて。また、実施例５〜６においては、さらに誘引剤として、下記表１に示す物質（乳酸、酢酸レチノール）を、蚊の降着面である粘着剤層３に塗布或いは添加した。添加量についても下記表１に併記した。
【００２５】
（蚊誘引捕獲試験法及びその評価）
蚊の誘引捕獲試験は、上記の捕獲装置を蚊が発生する屋外（８月中旬）に３日間設置し、表２に示す時間毎に蚊の捕獲状況を確認するという方法で行った。試験は、実施例１〜６においては、潮解性物質及び固体酸・固体アルカリを容器１に加えた時点で、実験開始とした。また、比較例１においては、混合固体に水を加えた時点で実験開始とした。
蚊の誘引捕獲結果については、下記評価基準で評価した。
これらの評価結果を下記表２に示す。
評価基準：
◎：蚊を２匹以上捕獲。
○：蚊を１匹捕獲。
×：蚊を捕獲できない。
【００２６】
【表１】
2006067966.tif 000003
【００２７】
上記表１中の用いた各配合成分（使用原料）は、下記のとおりである。
炭酸水素ナトリウム：関東化学社製、１級試薬  純分９９％
コハク酸：純正化学社製、特級試薬  純分９９．５％
クエン酸：純正化学社製、１級試薬  純分９９．５％
塩化カルシウム：関東化学社製、特級試薬  純分９５％、粒径１５０〜２５０μｍ篩い分け品
塩化マグネシウム：純正化学社製、特級試薬  純分９７％、粒径１５０〜２５０μｍ篩い分け品
Ｌ−乳酸：東京化成工業社製、純分８５％以上
酢酸レチノール：ＡＣＲＯＳ  ＯＲＧＡＮＩＣＳ社製、１．５ｍｉｏ  ＩＵ／ｇｒ、ヒマワリ油に溶解、安定化したもの。
【００２８】
【表２】
2006067966.tif 000004
【００２９】
上記表１及び表２の結果から明らかなように、本発明の範囲となる実施例１〜６は、本発明の範囲外となる比較例１に較べて、蚊を長期にわたり捕獲することができる蚊の誘引捕獲装置となることが判明した。
また、図２は、実施例１と比較例１との蚊の累積捕獲数を経時的にみた図面（グラフ）である。
これらの結果から本発明の蚊の誘引捕獲装置は、二酸化炭素を長期にわたり安全に、かつ、継続的に発生させ、蚊を長期にわたり捕獲することができることが明らかとなった。
【図面の簡単な説明】
【００３０】
【図１】本発明の蚊の誘引捕獲装置の具体的実施形態の一例を示す概略図面である。
【図２】実施例１と比較例１との蚊の累積捕獲数を経時的にみた図面（グラフ）である。
【符号の説明】
【００３１】
Ａ  蚊の誘引捕獲装置
１  容器
２  開口部
３  捕獲部（粘着剤層）
４  二酸化炭素発生部
４ａ  固体酸
４ｂ  固体アルカリ
４ｃ  潮解性物質
【図１】
2006067966.tif 000005
【図２】
2006067966.tif 000006